(57)【要約】【課題】被集塵物に付着したダストをより容易に除去できるようにする。【解決手段】被集塵物に付着したダストを集塵する集塵装置１００は、集塵装置の前面側下部に開口された吸込口１０９ａと、吸込口１０９ａから上方に連通し、上部が後方側に向けて開口された吸上管（吸上管上部１０７、吸上管下部１０８）と、吸上管を介して吸い上げられたダストを捕捉するフィルタ１０５と、フィルタ１０５の下方に設けられ、吸上管を介して吸い上げる吸引力を発生するファンモータ１１１とを備え、吸上管における吸込口１０９ａに臨む下端部が、滑らかな形状に形成されている。【選択図】図２
2020058473.tif 000002
【特許請求の範囲】
【請求項１】
被集塵物に付着したダストを集塵する集塵装置であって、
上記集塵装置の前面側下部に開口された吸込口と、
上記吸込口から上方に連通し、上部が後方側に向けて開口された吸上管と、
上記吸上管を介して吸い上げられたダストを捕捉するフィルタと、
上記フィルタの下方に設けられ、上記吸上管を介して吸い上げる吸引力を発生するファンモータと、
を備え、
上記吸上管における上記吸込口に臨む下端部が、滑らかな形状に形成されたことを特徴とする集塵装置。
【請求項２】
請求項１の集塵装置であって、
上記吸込口は、上記集塵装置の前面側下部における側方両側に亘って開口するように形成されていることを特徴とする集塵装置。
【請求項３】
請求項２の集塵装置であって、
上記吸込口における上記側方両側部分が、上記吸上管の下端部における上記集塵装置の最も前面側部分よりも背面側に位置していることを特徴とする集塵装置。
【請求項４】
請求項１から請求項３のうち何れか１項の集塵装置であって、
上記集塵装置の下部における上記吸上管よりも背面側部分に、電源コードの収容部が設けられていることを特徴とする集塵装置。
【請求項５】
請求項１から請求項４のうち何れか１項の集塵装置であって、
上記集塵装置の背面側に、上記ファンモータによる排気がなされる排気口が設けられ、上記排気口より上部に、上記排気口よりも背面側に位置する部分を有することを特徴とする集塵装置。
【請求項６】
請求項１から請求項５のうち何れか１項の集塵装置であって、
上記吸込口から上記吸上管に至る空気の流路における、上記集塵装置の下方側から背面側に亘る領域に、被集塵物に付着したダストを掻き取る掻取部材が設けられていることを特徴とする集塵装置。
【請求項７】
請求項１から請求項６のうち何れか１項の集塵装置であって、
上記吸上管の下方に、上記集塵装置の底面部を構成する吸込口下ケースが脱着可能に設けられていることを特徴とする集塵装置。
【請求項８】
請求項１から請求項７のうち何れか１項の集塵装置であって、
上記集塵装置の上部に、開閉自在の本体蓋ケースが設けられ、上記本体蓋ケースが開かれることによって、上記フィルタが脱着可能に構成されていることを特徴とする集塵装置。
【発明の詳細な説明】
【技術分野】
【０００１】
本発明は、清掃に使用されるモップなどの被集塵物に付着したダストを集塵する集塵装置に関するものである。
【背景技術】
【０００２】
被集塵物に付着したダストを集塵する集塵装置としては、装置の前面側下部に開口された吸気口からダストを吸引し、装置後面側で下部から上方に上昇させて、ケース天板からフィルタ部に導くようにしたものが知られている（例えば、特許文献１参照。）。
【先行技術文献】
【特許文献】
【０００３】
【特許文献１】特開２０１５−３９３８２号公報
【発明の概要】
【発明が解決しようとする課題】
【０００４】
しかしながら、上記のように装置の前面側下部に開口された吸気口から吸引したダストを、装置後面側で下部から上方に上昇させる構成では、被集塵物に付着したダストの除去が必ずしも容易ではなかった。
【０００５】
本発明は、上記の点に鑑み、被集塵物に付着したダストをより容易に除去できるようにすることを目的としている。
【課題を解決するための手段】
【０００６】
上記の目的を達成するため、本発明は、
被集塵物に付着したダストを集塵する集塵装置であって、
上記集塵装置の前面側下部に開口された吸込口と、
上記吸込口から上方に連通し、上部が後方側に向けて開口された吸上管と、
上記吸上管を介して吸い上げられたダストを捕捉するフィルタと、
上記フィルタの下方に設けられ、上記吸上管を介して吸い上げる吸引力を発生するファンモータと、
を備え、
上記吸上管における上記吸込口に臨む下端部が、滑らかな形状に形成されたことを特徴とする。
【０００７】
これにより、吸込口から吸い込まれた空気の流路は吸込口から直ちに上方に向くので、モップなどに付着しているダストなどが脱落して上方に吸引されやすくすることができる。
【発明の効果】
【０００８】
本発明によれば、被集塵物に付着したダストをより容易に除去できる。
【図面の簡単な説明】
【０００９】
【図１】集塵装置の外観を示す斜視図である。
【図２】集塵装置の要部の構成を示す縦断面図である。
【図３】吸上管の外観を示す斜視図である。
【図４】モップが押し込まれた状態の例を示す平面図である。
【図５】吸込口下ケースの脱着例を示す斜視図である。
【図６】電源コード収容スペースの他の例を示す倒立させた集塵装置の斜視図である。
【図７】モップに付着したダストが掻き取られる状態の例を示す拡大断面図である。
【図８】モップが左右に動かされる状態の例を示す平面図である。
【発明を実施するための形態】
【００１０】
以下、本発明の実施形態として、例えばモップ等の被集塵物に付着したダストを除去して集塵する集塵装置の例を図面に基づいて詳細に説明する。
【００１１】
（集塵装置１００の概略構成）
集塵装置１００は、図１に示すように、本体前ケース１０１と、本体後ケース１０２と、本体蓋ケース１０４とで囲まれた略逆台形の本体部の前面側下部に、吸込口１０９ａが開口され、モップに付着したダストなどを吸引し得るようになっている。より詳しくは、図２に示すように、本体前ケース１０１の内側には、集塵装置１００の載置面に沿う吸込口下ケース１０９と、上記吸込口下ケース１０９の上方に所定の距離を空けて配置された吸上管下部１０８とが設けられ、両者の間に、集塵装置１００の前面側下部に開口された吸込口１０９ａが形成されている。上記吸込口下ケース１０９の上面には、後述するようにモップの刷毛部に付着したダストの除去等を容易にするブラシ１１０が設けられている。
【００１２】
上記吸上管下部１０８の下端は、滑らか、および／または平坦に形成されている。また、上記吸込口１０９ａは、図３および図４に示すように、集塵装置１００の前面側下部における側方両側に亘って開口するように形成されている。より詳しくは、吸上管下部１０８の下端における最も前方側部分１０８ａよりも、吸込口１０９ａの両側部分１０９ｂの方が背面側に位置するように設定されている。
【００１３】
また、吸込口下ケース１０９は、図５に示すように、例えば下方から脱着可能に設けられている。吸上管下部１０８の上部は、すぼまって、垂直に設けられた吸上管上部１０７に接続されている。なお、吸上管上部１０７と吸上管下部１０８とは一体的に形成されるなどしてもよい。
【００１４】
吸上管上部１０７の上部は、集塵装置１００の後方に向けて屈曲し、本体中ケース１０３内に収容された、紙パック等から成るフィルタ１０５の開口部に接続されるようになっている。上記吸上管上部１０７とフィルタ１０５と本体中ケース１０３との接続部には、パッキン１０６が設けられ、吸上管上部１０７、およびフィルタ１０５の内部空間の機密性が保たれるようになっている。
【００１５】
本体中ケース１０３の上方は、ヒンジ部１０４ａにより開閉自在に設けられた本体蓋ケース１０４によって塞がれるようになっている。すなわち、上記本体蓋ケース１０４が開かれることによって、フィルタ１０５が集塵装置１００の上方から脱着可能になっている。本体中ケース１０３の下部には、メッシュ部１０３ａが形成され、フィルタ１０５によってダストが捕捉された後の空気を下方に流し得るようになっている。
【００１６】
フィルタ１０５の下方には、ファン１１１ａを有するファンモータ１１１が回転軸を鉛直方向に向けて設けられ、上記本体中ケース１０３内の空気を吸引して、本体後ケース１０２の平面側部分に形成されたメッシュ部１０２ａによって形成される排気口から排出するようになっている。
【００１７】
また、図２に示すように、集塵装置１００の下部における吸上管下部１０８の背面側、モータ１１１の下方位置には、電源コードを巻き付け得る巻付フック１０２ｃを備えた電源コード収容スペース１０２ｂが設けられ、集塵装置１００を使用しない時や、使用時に余った電源コードの部分を収容できるようになっている。なお、巻付フック１０２ｃの形状や向きなどは種々設定でき、例えば図６に示すように集塵装置１００における左右方向に並ぶように配置されてもよい。また、スプリングなどによって自動巻取り可能にされたりしてもよい。
【００１８】
（集塵装置１００の動作等）
上記のように構成された集塵装置１００では、例えば図７に示すように、前面側の下部にモップ２０１を位置させると、ファンモータ１１１の吸引力によって刷毛部２０１ａが吸込口１０９ａから空気とともに吸い込まれる。このとき、吸込口１０９ａから吸い込まれた空気の流路は吸込口１０９ａから直ちに上方に向くので、モップ２０１の刷毛部２０１ａは、はためくように動きやすくなる。それゆえ、特に刷毛部２０１ａの下面側に付着しているダスト２０２なども脱落して上方に吸引されやすくなり、ゴミ取れ性能を向上させることが容易にできる。
【００１９】
また、吸込口１０９ａが、集塵装置１００の前面側下部における側方両側に亘って開口するように形成されていることによって、吸い込み範囲が広くされるとともに、図２に示したように吸上管下部１０８の下端における最も前方側部分１０８ａよりも、吸込口１０９ａの両側部分１０９ｂの方が背面側に位置するように設定され、さらに、吸上管下部１０８の下端が、滑らか、および／または平坦に形成されていることによって、図４に示すようにモップを真っ直ぐ突っ込んで奥まで入れられるため広範囲に吸い込むことができ、また何度もモップ２０１を出し入れしたりするのに限らず、例えば図８に示すようにモップ２０１を矢印Ａで示す左右方向に往復させることなどが容易にできるので、モップ２０１全体を掃除することなども容易にでき、ダスト除去の手間を軽減することができる。
【００２０】
また、吸込口下ケース１０９の先端部が、吸上管下部１０８の下端前端部よりも後方に位置するようにされている場合には、よりモップ２０１が吸込口１０９ａ内に進入しやすくなり、ユーザが床面のダストを集塵装置１００の下部に押し込んで吸引させやすくすることなどもできる。また、吸込口下ケース１０９の先端部にスロープが設けられることによってモップ２０１の下側の空気の通りをよくし、モップ２０１の先端を持ち上げやすくすることなどもできる。
【００２１】
上記のようにしてモップ２０１から脱落するなどしたダストは、吸上管下部１０８から吸上管上部１０７を介してフィルタ１０５内に入り、分離集塵されて、浄化された空気が、本体中ケース１０３のメッシュ部１０３ａ、および本体後ケース１０２のメッシュ部１０２ａを介して集塵装置１００の背面から排出される。ここで、上記のように集塵装置１００が略逆台形に形成されて背面の下部が上部よりも前側に位置している場合すなわち、排気口より上部に、上記排気口よりも背面側に位置する部分を有する場合には、集塵装置１００の背面を壁にべた付けして設置した場合でも排気が逃げやすくなるので、本体の温度が上昇しにくく樹脂部品やモータの耐久性の点で有利にできる。
【００２２】
フィルタ１０５に捕捉されたダストがある程度の量になった場合には、本体蓋ケース１０４を開いて、フィルタ１０５を集塵装置１００の上方から取り出し、交換することができる。すなわち、例えばフィルタ１０５を交換する際に、かがんだりせずに立ったまま片手で操作可能にすることが容易にできる。
【００２３】
また、吸込口下ケース１０９の上面にブラシ１１０が設けられていることによって、モップ２０１が引っ張り出されるときに、図７に示すようにモップ２０１の刷毛部２０１ａの下面側に付着しているダスト２０２が掻き取られやすくすることなどもできる。上記のようなブラシ１１０の配置や形状、数などは特に限定されず、吸込口１０９ａから吸上管上部１０７に至る空気の流路における、集塵装置１００の下方側から背面側に亘る領域の奥や手前など種々の位置に設けられてもよく、また、縦向きに設けられたり横向きに設けられたりしてもよい。特に、ブラシ１１０が奥まった位置や表に露出しない位置に設けられることなどによって、ダストを掻き取った際に本体外観が汚れて見えるのを防ぐ効果を得ることなどもできる。
【００２４】
また、吸込口１０９ａからフィルタ１０５までの空気流路を直線的に設けることによって、流路にはゴミが詰まりにくいようにすることができるが、吸上管上部１０７の下方に、集塵装置１００の底面部を構成する吸込口下ケース１０９が脱着可能に設けられていることによって、吸上管上部１０７や吸上管下部１０８にダストが詰まった場合などに、そのダストを除去することも容易にできる。すなわち、吸込口下ケース１０９を取り外して、ブラシ１１０や空気の流路を掃除しやすくメンテナンス性を向上させることが容易にできる。
【００２５】
また、吸込口下ケース１０９を種々の形状などのアタッチメント等として交換可能に設けて、開口部の形状変更を容易にするなどし、例えば多様な形状や、大きさ、毛足密度などのモップ、ワイパー型の掃除器具、ほうきなど、種々の掃除用具の清掃に対応させ、掃除の幅を広げることも容易にできる。さらに、吸込口下ケース１０９を除去した状態で使用可能にするなどしてもよい。
【００２６】
また、ファンモータ１１１がフィルタ１０５の下方に設けられていることによって、吸上管の上下方向の長さを長く設定して、モップの刷毛部が、より、はためきやすいようにすることもでき、特に、毛足が長いモップの場合などでも、はためくエリアを長く設定したりして、ダストをより除去しやすくしつつ、集塵装置１００の高さを比較的低く抑えることなども容易にできる。
【００２７】
また、ファンモータ１１１がフィルタ１０５の下方に設けられていることによって、吸上げ管上下長さを長くし、フィルタ１０５の位置を高くすることによって、よりフィルタ１０５の付け替えの操作性が良くなる。
【００２８】
また、ファンモータ１１１がフィルタ１０５の下方に設けられるとともに、特に回転軸を鉛直方向に向けて設けられていることによって、振動や騒音を低減することが容易になるとともに、集塵装置１００の重心を低くして安定性を高めることも容易にできる。
【００２９】
また、吸込口１０９ａから吸い込まれた空気の流路を直上に設けることによって、装置の下部前面側から後面側に向かう流路が設けられる場合などに比べて、上記流路の領域等を有効活用することにより、集塵装置１００の下部、吸込口１０９ａの背面側に、電源コード収容スペース１０２ｂを設けるなどして、一層小型化を図ることなどもできるとともに、コードを巻きつけて梱包することで梱包サイズが小さくなり安価な集塵装置の提供ができる。また、電源コードを必要な長さだけ外部に引き出せるようにして見映えをよくすることもできる。また、電源コード収容スペース１０２ｂを設けない場合、さらに製品本体の高さを低くし、一層小型化することも容易である。
【符号の説明】
【００３０】
１００      集塵装置
１０１      本体前ケース
１０２      本体後ケース
１０２ａ    メッシュ部
１０２ｂ    電源コード収容スペース
１０２ｃ    巻付フック
１０３      本体中ケース
１０３ａ    メッシュ部
１０４      本体蓋ケース
１０４ａ    ヒンジ部
１０５      フィルタ
１０６      パッキン
１０７      吸上管上部
１０８      吸上管下部
１０８ａ    前方側部分
１０９      吸込口下ケース
１０９ａ    吸込口
１０９ｂ    両側部分
１１０      ブラシ
１１１      ファンモータ
１１１ａ    ファン
２０１      モップ
２０１ａ    刷毛部
２０２      ダスト
【図１】
2020058473.tif 000003
【図２】
2020058473.tif 000004
【図３】
2020058473.tif 000005
【図４】
2020058473.tif 000006
【図５】
2020058473.tif 000007
【図６】
2020058473.tif 000008
【図７】
2020058473.tif 000009
【図８】
2020058473.tif 000010
【手続補正書】
【提出日】令和1年10月7日(2019.10.7)
【手続補正１】
【補正対象書類名】特許請求の範囲
【補正対象項目名】全文
【補正方法】変更
【補正の内容】
【特許請求の範囲】
【請求項１】
被集塵物に付着したダストを集塵する集塵装置であって、
上記集塵装置の前面側下部に開口された吸込口と、
上記吸込口から直ちに上方に連通し、上部が後方側に向けて開口された吸上管と、
上記吸上管を介して吸い上げられて正面側の側面の開口部から流入したダストを捕捉するフィルタと、
上記フィルタの下方に設けられ、上記吸上管を介して吸い上げる吸引力を発生するファンモータと、
を備え、
上記吸上管における上記吸込口に臨む下端部が、滑らかな形状に形成されるとともに、
上記吸込口は、上記集塵装置の前面側下部における側方両側に亘って開口するように形成され、
上記吸込口における上記側方両側部分が、上記吸上管の下端部における上記集塵装置の最も前面側部分よりも背面側に位置していることを特徴とする集塵装置。
【請求項２】
請求項１の集塵装置であって、
上記集塵装置の下部における上記吸上管よりも背面側部分に、電源コードの収容部が設けられていることを特徴とする集塵装置。
【請求項３】
請求項１から請求項２のうち何れか１項の集塵装置であって、
上記集塵装置の背面側に、上記ファンモータによる排気がなされる排気口が設けられ、上記排気口より上部に、上記排気口よりも背面側に位置する部分を有することを特徴とする集塵装置。
【請求項４】
請求項１から請求項３のうち何れか１項の集塵装置であって、
上記吸込口から上記吸上管に至る空気の流路における、上記集塵装置の下方側から背面側に亘る領域に、被集塵物に付着したダストを掻き取る掻取部材が設けられていることを特徴とする集塵装置。
【請求項５】
請求項４の集塵装置であって、
上記掻取部材は、先端部を上記空気の流路の下流側に向けて上記吸込口の奥方に設けられ、上記被集塵物が上記空気の流路の上流側に移動する際に上記被集塵物の下面側に付着したダストを掻き取り得るように構成されていることを特徴とする集塵装置。
【請求項６】
請求項１から請求項５のうち何れか１項の集塵装置であって、
上記吸上管の下方に、上記集塵装置の底面部を構成する吸込口下ケースが脱着可能に設けられていることを特徴とする集塵装置。
【請求項７】
請求項１から請求項６のうち何れか１項の集塵装置であって、
上記集塵装置の上部に、開閉自在の本体蓋ケースが設けられ、上記本体蓋ケースが開かれることによって、上記フィルタが脱着可能に構成されていることを特徴とする集塵装置。